(57)【要約】 【課題】  時間表示機構を修正する装置を薄くすること。【解決手段】  本発明の修正装置はピッチＰの内歯１６を有する。前記修正装置はピニオン２６と修正歯車３８を有する。前記ピニオンはピッチｐの歯３０を有する。前記修正歯車は前記ピニオンと表示部材との間に搭載される。前記修正歯車は、歯４２から形成される第１歯４０を有する。前記第１歯は、ピッチＰと頭部直径Ｄと脚部直径ｄ１を有する。第１歯の先端は第２歯４６を形成する。前記第２歯４６は、第１歯と同一面でかつ同心である。前記第２歯のピッチｐは前記第１歯４０のピッチＰより小さく、前記第２歯の頭部直径Ｄは前記第１歯の頭部直径Ｄに等しく、前記第２歯の脚部直径ｄ２は前記第１歯の脚部直径ｄ１よりも大きい。【選択図】  図２
2008256687.tif 000002
【特許請求の範囲】
【請求項１】
複数の歯（４２）からなる第１歯（４０）を有する平面状の時計歯車（３８）において、
前記第１歯（４０）は、ピッチＰ、頭部直径Ｄ、脚部直径ｄ１であり、
前記歯（４２）は、先端（４４）を有し、
前記先端（４４）の少なくとも一部は、所定角度毎に伸び、
前記先端（４４）の一部は、第２歯（４６）を形成し、
前記第２歯（４６）は、前記第１歯（４０）と同一面でかつ同心であり、
前記第２歯（４６）のピッチｐは、前記第１歯（４０）のピッチＰより小さく、
前記第２歯（４６）の頭部直径Ｄは、前記第１歯（４０）の頭部直径Ｄに等しく、
前記第２歯（４６）の脚部直径ｄ２は、前記第１歯（４０）の脚部直径ｄ１よりも大きい
ことを特徴とする時計歯車。
【請求項２】
前記第１歯（４０）は、先端（４４）を有する歯（４２）から形成され、
前記歯（４２）は、それぞれ所定角度毎に伸び、
前記先端（４４）は、不連続な第２歯（４６）を形成し、
前記第２歯（４６）は、前記第１歯（４０）と同一面でかつ同心であり、
前記第２歯（４６）のピッチｐは、前記第１歯（４０）のピッチＰより小さく、
前記第２歯（４６）の頭部直径Ｄは、前記第１歯（４０）の頭部直径Ｄに等しく、
前記第２歯（４６）の脚部直径ｄ２は、前記第１歯（４０）の脚部直径ｄ１よりも大きい
ことを特徴とする請求項１記載の時計歯車。
【請求項３】
前記ピッチＰは、前記ピッチｐの整数倍である
ことを特徴とする請求項１記載の時計歯車。
【請求項４】
前記第２歯（４６）は、鋸状の歯である
ことを特徴とする請求項１または２記載の時計歯車。
【請求項５】
前記第２歯（４６）は、直線状である
ことを特徴とする請求項１または２記載の時計歯車。
【請求項６】
前記歯（４２）は、幅Ｓを有し、
前記歯（４２）は、幅ｓで分離され、
前記歯（４２）の幅Ｓは、前記２枚の歯（４２）を分離する幅ｓよりも大きい
ことを特徴とする請求項１−４のいずれかに記載の時計歯車。
【請求項７】
ピッチＰの内歯（１６）を有する表示部材（１２）を有する時計の時間表示機構の修正装置（１０）において、
前記修正装置（１０）は、ピニオン（２６）と修正歯車（３８）とを有し、
前記ピニオン（２６）は、ピッチｐの歯（３０）を具備し、巻き上げステム（２４）に搭載され、少なくとも１つの表示修正位置Ａを占有し、
前記修正歯車（３８）は、前記ピニオン（２６）と表示部材（１２）との間に搭載され、
前記修正歯車（３８）は、先端（４４）を有する歯（４２）から形成される第１歯（４０）を有し、
前記第１歯（４０）は、ピッチＰと頭部直径Ｄと脚部直径ｄ１を有し、
前記歯（４２）は、所定角毎に伸び、
前記先端（４４）は、第２歯（４６）を形成し、
前記第２歯（４６）は、第１歯（４０）と同一面でかつ同心であり、
前記第２歯（４６）のピッチｐは、前記第１歯（４０）のピッチＰより小さく、
前記第２歯（４６）の頭部直径Ｄは、前記第１歯（４０）の頭部直径Ｄに等しく、
前記第２歯（４６）の脚部直径ｄ２は、前記第１歯（４０）の脚部直径ｄ１よりも大きい
ことを特徴とする修正装置。
【請求項８】
前記ピニオン（２６）は、時間設定位置Ｂと時間表示修正位置Ａとの間に、スライド可能に搭載される
ことを特徴とする請求項７記載の修正装置。
【請求項９】
前記ピニオン（２６）を時間設定位置Ｂから時間表示修正位置Ａに、またその逆に動かす手段（３２，３４）をさらに有する
ことを特徴とする請求項８記載の修正装置。
【請求項１０】
前記ピニオン（２６）の歯（３０）と修正歯車（３８）の第２歯（４６）とは、鋸歯形状をしている
ことを特徴とする請求項７−８のいずれかに記載の修正装置。
【発明の詳細な説明】
【技術分野】
【０００１】
本発明は、時計に関し、特に時計の時間（本明細書において時間とは、日にち、月、曜日のいずれかを意味する）表示機構の修正装置に関する。この修正装置は、同一面に配置された２個の歯群に適合する歯車を有する。本発明はこの歯車にも関する。
【背景技術】
【０００２】
時間表示（日付）機構は当業者に公知である。この機構は、日付リングのような表示部材と、この表示部材を駆動する機構と、巻き上げステム（軸、竜頭）により駆動される修正装置とを有する。この修正装置は複雑かつ取り扱いが困難である。この修正装置は、巻き上げステムに搭載されたピニオンで駆動される少なくとも１個の中間歯車と、前記中間歯車と表示部材と噛み合う、スライドするあるいは一定位置を保つ修正ピニオンとを有する。
【０００３】
この種の修正装置の欠点は、歯車が切られるレベルを２つ有する中間歯車が原因で厚くなり過ぎることである。一例として、特許文献１によれば、中間歯車は、巻き上げステムのピニオンと噛み合う第１歯車レベルと、第２の中間歯車と噛み合う第２歯車レベルとを有する。特許文献２においては、中間歯車は、巻き上げステムのピニオンと重ね合わせて配置される。この中間歯車は、ピニオンと噛み合う丸穴歯と修正ピニオンと噛み合う半径方向歯とを有する。さらにこの修正ピニオンは、２つの駆動レベルを有する。その厚さ故にこれらの装置は、極めて薄いムーブメントには適さない。
【０００４】
【特許文献１】特開昭６１−０３８０９３号明細書
【特許文献２】特開昭４９−０１７２０４号明細書
【特許文献３】Application filed on 3 April 2007, in the name of ETA S.A., and entitled "Accouplement a sens unique et dispositif de correction comportant un tel accouplement"
【０００５】
他の修正装置は、極めて単純なデザインであるが、ピニオンを有する。このピニオンは、巻き上げステムに搭載され表示部材の歯と直接噛み合う。それ故に、このピニオンは、一方向にのみ共働するよう配置された２個の螺旋状ウィングを有し、これが表示部材の歯と噛み合う。この表示部材は、ジャンパー・スプリングを用いて配置される。この種の修正装置は、極めて単純な構造であるが、大きな直径の表示部材に対しては適合できない。各ウィングが、ピニオンが回転した時に、表示部材をワンステップ駆動できるよう、このピニオンの直径は、表示部材の歯のピッチに比例しなければならないからである。従って、このピニオンの直径は、表示部材の直径よりも大きくなり、修正装置が極めて薄いムーブメントに適さない。
【発明の開示】
【発明が解決しようとする課題】
【０００６】
本発明は上記の欠点を解決することである。本発明により、薄い単純な修正装置が提供できる。
【課題を解決するための手段】
【０００７】
ピッチＰの内歯を有する表示部材を有する時計の時間表示機構の修正装置において、前記修正装置は、ピニオンと修正歯車を有し、前記ピニオンは、少なくとも１つの表示修正位置Ａを占有するよう、巻き上げステム上に搭載されたピッチｐの歯を具備し、前記修正歯車は、前記ピニオンと表示部材との間に搭載される。修正歯車は、ピッチＰの大きな第１歯を有し、この第１歯にピッチｐの第２歯が切られる。前記第１歯は、ピッチＰと頭部直径Ｄと脚部直径ｄ１を有する。前記第２歯は、第１歯と同一面でかつ同心であり、前記第２歯のピッチｐは、前記第１歯のピッチＰより小さく、前記第２歯の頭部直径Ｄは、前記第１歯の頭部直径Ｄに等しく、前記第２歯の脚部直径ｄ２は、前記第１歯の脚部直径ｄ１よりも大きい。
【０００８】
この中間歯車の特徴により、本発明の修正装置の厚さは、ピニオンの直径を超えることはない。さらに、ピニオンが表示部材と直接噛み合うことがないので、これは上記のウィングを具備するピニオンの場合であるが、ピッチｐの第２の歯を具備するために、その直径とスペースは大幅に小さくなる。
【０００９】
本発明は、この修正装置を具備した時計歯車に関する。
【００１０】
本発明は、複数の歯を有する第１歯を有する平面状の時計歯車において、前記第１歯は、ピッチＰ、頭部直径Ｄ、脚部直径ｄ１であり、前記歯は、先端を具備し、前記先端の一部はそれぞれ所定角度毎に伸び、前記先端は、第２歯を形成する。前記第２歯は、第１歯と同一面でかつ同心であり、前記第２歯のピッチｐは、前記第１歯のピッチＰより小さく、前記第２歯の頭部直径Ｄは、前記第１歯の頭部直径Ｄに等しく、前記第２歯の脚部直径ｄ２は、前記第１歯の脚部直径ｄ１よりも大きい。
【実施例】
【００１１】
図１、２に示す修正装置１０は、表示部材１２による時間表示を修正する。この時間表示は、例えば日にち、月、曜日である。表示部材１２は、従来と同様リング１４を有する。このリング１４上に時間表示マークが刻まれる。このリング１４は、ピッチｐの内歯１６を具備する。この内歯１６は、幅ｓの歯１７から形成される。その結果、幅Ｓのスペースは、Ｓ＝ｐ−ｓである。表示部材１２は、プレート１８上に回転するようガイドされ、ジャンパー・スプリング２０により角度的に（ある一定角度位置を占有するよう）配置される。内歯１６を一部カバーしプレート１８に固定されるホールディング・プレート２２が、表示部材１２を軸方向に沿って配置する。表示部材１２の駆動機構は、図示されていない。駆動機構は、例えば日付表示の場合は、１日にワンステップだけ表示部材１２を駆動する日付駆動車を有する。この日付駆動車は、中間時間車により駆動される。この機構は従来公知であり説明は割愛する。
【００１２】
修正装置１０は、従来と同様に、プレート１８を回転駆動するよう搭載される巻き上げステム２４を有する。巻き上げステム２４の外側端に巻き上げ竜頭（図示せず）を具備する。巻き上げステム２４は、中立位置（巻き上げステム２４が最も遠くに押し込まれた位置）と２つの駆動位置（巻き上げステム２４が引き出される第１と第２の引出位置）とを占有する。スライド・ピニオン２６は、巻き上げステム２４に回転可能に取付けられる。巻き上げステム２４は、スライド・ピニオン２６が占有する部分に四角の断面を有する。言い換えると、スライド・ピニオン２６は、巻き上げステム２４の四角の断面のサイズと形状に合うような穴を有する。巻き上げステム２４は、その第１端に第１直線状丸穴歯車２８を、第２端にピッチｐの第２丸穴歯車３０を有する。この第２丸穴歯車３０も直線状であるが、歯の形状は以下に述べるものでもよい。
【００１３】
スライド・ピニオン２６は、引出ピース３２とレバー３４により構成される機構により従来と同様駆動される。引出ピース３２とレバー３４は、互いに共働して、ピニオンを、中立位置（巻き上げステム２４が中立位置を占有する時）から、時間表示修正位置Ａ（巻き上げステム２４が第１引出位置を占有する時）に、その後、時間設定位置Ｂ（巻き上げステム２４が第２引出位置を占有する時）に移動させる。スライド・ピニオン２６を駆動するこの機構は、当業者に公知であり詳細な説明は割愛する。
【００１４】
時間設定位置Ｂにおいては、スライド・ピニオン２６は、第１丸穴歯車２８を介して、中間歯車３６と噛み合う。中間歯車３６は、キャノン・ピニオン（図示せず）と機構的に連結されている。時間は、巻き上げステム２４をいずれかの方向に動かすことにより設定できる。
【００１５】
時間表示修正位置Ａにおいては、スライド・ピニオン２６は、第２丸穴歯車３０を介して修正歯車３８と噛み合う。修正歯車３８は、ホールディング・プレート２２に自由に回転するよう搭載される。修正歯車３８は表示部材１２の内歯１６と噛み合う。巻き上げステム２４とスライド・ピニオン２６と修正歯車３８と表示部材１２から構成される組立体を図３に時間表示修正位置Ａで示す。修正歯車３８の特徴を図４に詳細に示す。
【００１６】
修正歯車３８は、ピッチｐで頭部直径（最大外径）Ｄと脚部直径（凹み部直径）ｄ１の大きな第１歯４０を有する。この第１歯４０は表示部材１２の内歯１６と噛み合う。第１歯４０は内歯１６と完全に相補的である（第１歯４０は内歯１６間に嵌り込む）。第１歯４０は、（図４では４枚の）歯４２から構成される。この歯４２の幅Ｓは、２枚の隣り合う歯１７の間のスペースに等しい。この幅Ｓは、ｓ＝Ｐ−Ｓである。ｓは歯１７の幅に等しい。
【００１７】
歯４２は、２個の半径方向に伸びる側面と、一定の角度毎に伸びる先端４４とを有する。先端４４は、（図４では５個の）第２歯４６を形成するよう切断されている。この第２歯４６は、不連続に形成され、第１歯４０と同一面かつ同心である。第２歯４６のピッチｐは、第１歯４０のピッチＰよりも小さく、頭部直径（最大外径）Ｄは、第１歯４０の頭部直径（最大外径）Ｄと等しく、その脚部直径（凹み部直径）ｄ２は、第１歯４０の脚部直径ｄ１よりも大きい。第２歯４６は、スライド・ピニオン２６の第２丸穴歯車３０と噛み合う。
【００１８】
第２歯４６は、大きく不連続である。その理由は、第２歯４６は第１歯４０の歯４２の先端４４にのみ存在するからである。しかし修正装置１０が適切に動作するためには、第２歯４６は、少なくとも１枚の歯を介して、スライド・ピニオン２６の第２丸穴歯車３０と噛み合わなければならない。それ故に、２つの隣り合う歯４２を分けている幅のスペースｓは可能な限り小さい。しかし表示部材１２の内歯１６を形成する歯１７の幅ｓよりも小さくてはいけない。従って、表示部材１２の歯１７の幅ｓは、可能な限り小さくなければならない。
【００１９】
巻き上げステム２４が駆動されて、スライド・ピニオン２６がポジションＡに入ると、スライド・ピニオン２６は、修正歯車３８を回転駆動し、この修正歯車３８が表示部材１２を一方向あるいは反対方向に駆動する。かくして時間表示が修正される。
【００２０】
上記の実施例の場合、第２丸穴歯車３０と第２歯４６は、直線状であり、これにより両方向の回転結合が可能となる。図５に示す実施例においては、第２丸穴歯車３０と第２歯４６は、鋸状の歯の形状をしており、その結果２つの歯は、Breguet toothingsのように一方向にのみ共働（回転）する。スライド・ピニオン２６と修正歯車３８は、表示部材を一方向回転にのみ修正できる一方向性カップリングを構成する。この種の結合の動作モードの詳細は、特許文献３に開示されている。
【００２１】
上記の修正装置１０は、極めて単純かつ小型である。かくして電子機械式の極薄いムーブメントに適する。
【００２２】
本発明の変形例として、１個の歯４２のみを有する修正歯車３８は、１個の先端４４が角度的に伸び、第２歯４６を形成するよう切り込まれ、第２歯４６を第１歯と同一面かつ同心に配置することもできる。
【００２３】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００２４】
【図１】本発明の表示機構の修正装置の上面図。
【図２】本発明の表示機構の修正装置の断面図。
【図３】本発明の修正装置の部分斜視図。
【図４】本発明の修正装置に適合する歯車を表わす図。
【図５】本発明の修正装置の変形例を表わす図。
【符号の説明】
【００２５】
１０  修正装置
１２  表示部材
１４  リング
１６  内歯
１７  歯
１８  プレート
２０  ジャンパー・スプリング
２４  巻き上げステム
２６  スライド・ピニオン
２８  第１丸穴歯車
３０  第２丸穴歯車
３２  引出ピース
３４  レバー
３８  修正歯車
４０  第１歯
４２  歯
４４  先端
４６  第２歯
【図１】
2008256687.tif 000003
【図２】
2008256687.tif 000004
【図３】
2008256687.tif 000005
【図４】
2008256687.tif 000006
【図５】
2008256687.tif 000007
【外国語明細書】
2008256687000001.pdf